(57)【要約】【課題】洗浄作業中に一たん停止した時に、洗浄水が外へ無駄に排水されるのを防ぐ。【解決手段】上下に長いフロート管３１の上部に設けられたフロート室３３内にフロート３７を設け、そのフロート３７を、オーバーフロー口４５から流入する適正オーバーフロー位置Ｈの時、浮力によって浮上させ、そのフロート３７の上昇で前記フロート室３３とフロート管３１とをつなぐ排水通路口３５を開とする一方、液面がオーバーフロー口４５を越えてフロート室３３内のフロート全体が液面下に沈む過剰オーバーフロー位置Ｈ１の時、フロート上方と下方との圧力差Ｖ１＞Ｖ２により下降させ、そのフロート３７の下降で前記排水通路口３５を閉とする開閉弁とする。【選択図】図２
2006289266.tif 000002
【特許請求の範囲】
【請求項１】
タンク本体の底部から立上がる上下に長いフロート管と、前記フロート管の上部に設けられフロート管より断面積の大きい部屋に作られたフロート室と、前記フロート室とフロート管とをつなぐ排水通路口と、前記フロート室内に配置され液面によって浮力が与えられるフロートとを備え、前記フロートは、オーバーフロー口から流入する適正オーバーフロー位置の時、浮力によって浮上し、そのフロートの上昇で前記排水通路口を開とする一方、液面がオーバーフロー口を越えてフロート室内のフロート全体が液面下に沈む過剰オーバーフロー位置の時、フロート上方と下方との圧力差により下降しそのフロートの下降で前記排水通路口を閉とする開閉弁となっていることを特徴とするタンク用のオーバーフロー装置。
【請求項２】
前記オーバーフロー装置は、タンク本体の底部に設けられた排水口に対してフロート管が挿脱自在に挿入され、タンク本体の排水栓を兼ねていることを特徴とする請求項１記載のタンク用のオーバーフロー装置。
【発明の詳細な説明】
【技術分野】
【０００１】
本発明は、洗浄機の洗浄タンク等に適するタンク用のオーバーフロー装置に関する。
【背景技術】
【０００２】
一般に、被洗浄物を洗浄する洗浄機にあっては洗浄工程、すすぎ工程を備え、大量の水を使用するところから節水を図るために、例えば、洗浄工程で使用する洗浄水は洗浄ノズルによって噴射された後、その使用済みの洗浄水を洗浄タンク内へ回収し、再び使用する循環タイプとなっている。
【０００３】
また、洗浄タンクには液面を一定に保つオーバーフロー装置が設けられ、すすぎ工程で使用された比較的きれいなすすぎ水が送り込まれ、再利用される。この時、液面を越える余分な洗浄水は前記オーバーフロー装置によって外へ排出される。これにより、洗浄タンク内の液面が一定に保たれるのと同時に、水面に近い汚れた汚濁水を外へ排水することによって、洗浄水の清浄度を保つ機能を併せ持つようになっている。
【特許文献１】特開平８−２７６９９２号公報
【発明の開示】
【発明が解決しようとする課題】
【０００４】
オーバーフロー装置は、液面を一定に保つために規定された液面を越える分については外へ排水するため、例えば、被洗浄物の入れ替え時やトラブル等の何等かの理由で洗浄作業を一時停止した時に、洗浄ノズルを始めとする配管内や回収受部内にある洗浄循環中の洗浄水が洗浄タンク内へ戻るようになるが、その時の循環中の洗浄水はオーバーフロー水として外へ排水される。洗浄ノズルは上から下から側方から噴射するため配管の距離が長くなる点に加えて、配管の径が太いこともあって洗浄作業中は何百リットル単位で大量の洗浄水が循環しており、それら洗浄水は作業停止時にまだ十分に使用できるにもかかわらず、そのまま排水することになり節水の面で望ましくない。また、オーバーフロー装置からの排水は洗浄水だけでなく洗浄効率を高めるために入れられている洗剤の洗剤濃度の低下を招き、再起動時には洗剤濃度の見直しをせまられると共に、循環用のポンプ及び洗浄ノズルを含めて循環経路配管内に洗浄水が満たされた時、洗浄タンク内の洗浄水を大量に汲上げる結果となるため液面が下がりその分の洗浄水の補給が必要となる等、立上りが遅くなる不具合いを有する。
【０００５】
そこで、本発明にあっては簡単な構造で無駄な排水を抑えることのできるタンク用のオーバーフロー装置を提供することを目的としている。
【課題を解決するための手段】
【０００６】
前記目的を達成するために、本発明にあっては、タンク本体の底部から立上がる上下に長いフロート管と、前記フロート管の上部に設けられフロート管より断面積の大きい部屋に作られたフロート室と、前記フロート室とフロート管とをつなぐ排水通路口と、前記フロート室内に配置され液面によって浮力が与えられるフロートとを備え、前記フロートは、オーバーフロー口から流入する適正オーバーフロー位置の時、浮力によってフロートが浮上し、そのフロートの上昇で前記排水通路口を開とする一方、液面がオーバーフロー口を越えてフロート室内のフロート全体が液面下に沈む過剰オーバーフロー位置の時、フロート上方と下方との圧力差によりフロートが下降しそのフロートの下降で前記排水通路口を閉とする開閉弁となっていることを特徴とする。
【発明の効果】
【０００７】
本発明のオーバーフロー装置によれば、フロート室にフロートを配置した単純で故障の起きない簡単な構造にできる。また、作業停止時にはフロートによる排水通路口の閉塞によって、使用出来る水が必要以上に外へ流れ出るのを確実に防ぐことができる。この結果、洗剤濃度の見直しや水の補給が不用となり再起動時の立上りが早くなる。
【発明を実施するための最良の形態】
【０００８】
本発明にあっては、前記オーバーフロー装置を、タンク本体の底部に設けられた排水口に対してフロート管を挿脱自在に挿入することでタンク本体の排水栓を兼ねた構造とする。
【実施例】
【０００９】
以下、図１乃至図７の図面を参照しながら本発明の実施形態について具体的に説明する。
【００１０】
図１は本発明にかかるタンク用のオーバーフロー装置の概要説明図、図７は本発明を洗浄機に実施した状態の概要説明図をそれぞれ示している。
【００１１】
洗浄機１は、矢印のように搬送する搬送装置３によって送られてくる被洗浄物５を洗浄する洗浄工程７と洗浄した後、きれいな水で洗い流すすすぎ工程９とを有し、すすぎ工程９には、すすぎタンク１１とすすぎノズル１６を備えている。
【００１２】
すすぎタンク１１には水道栓１５によって常にきれいな水が送り込まれると共にすすぎタンク１１内のすすぎ水はすすぎポンプ１７によってすすぎノズル１６へ供給され、すすぎノズル１６によりすすぎが行なわれる。すすぎノズル１６から噴射されたすすぎ水は処分することなく回収トレー１９を介して洗浄工程７の洗浄タンク２１内へ送り込まれ、再利用するようになっている。
【００１３】
洗浄工程７は、前記した洗浄タンク２１と洗浄ノズル２３とを備え、洗浄タンク２１内の洗浄水は洗浄ポンプ２５によって洗浄ノズル２３へ供給される。洗浄ノズル２３から噴射された洗浄水は回収トレー２７を介して前記洗浄タンク２１内へ回収され、再び洗浄ポンプ２５によって洗浄ノズル２３へ供給される循環タイプとなっている。
【００１４】
洗浄タンク２１のタンク本体２１ａにはオーバーフロー装置２９が設けられている。オーバーフロー装置２９は、図１に示すようにタンク本体２１ａの底部に設けられた上下に長いフロート管３１と、前記フロート管３１の上部に設けられフロート管３１より断面積の大きい部屋に作られたフロート室３３と、そのフロート室３３とフロート管３１とをつなぐ排水通路口３５と、前記フロート室３３内に配置されフロート室３３内へ送り込まれる洗浄水によって浮力が与えられるフロート３７とからなっている。
【００１５】
フロート管３１は、上下に長い筒状に形成され、下部はタンク本体２１ａの排水口３９に対して挿脱できるシール機能を備えた挿入部４１となっていて、そのフランジ部４１ａに突当るまで挿入可能となっている。
【００１６】
フロート室３３は、前記フロート管３１の上部に設けられている。断面積はフロート管３１の断面積より大きい円筒状の部屋に作られていて、排水通路口３５を介して前記フロート管３１と接続連通している。フロート室３３の上部周壁には周方向に洗浄水が出入りするためのオーバーフロー口４５が設けられている。フロート室３３の天板４７には取手４９が設けられ、取手４９を持って図６に示すように排水口３９からオーバーフロー装置２９のフロート管３１を引き抜くことで、排水口３９と接続の排水管５１を介して外へ洗浄水を流すための排水栓としても作用する機能を備えている。
【００１７】
なお、取手４９は使用しない時、仮想線で示すように天板４７の上面まで落下し、突起感がなく、しかも、邪魔にならないようになっている。
【００１８】
フロート３７は、高温の洗浄水を使用することから耐熱性と耐久性とを併せ持つステンレス製の球体に作られている。
【００１９】
フロート３７は、オーバーフロー口４５から流入する適正オーバーフロー位置Ｈの時、浮力によって浮上し、そのフロート３７の上昇で前記排水通路口３５を開とする一方、液面がオーバーフロー口４５を越えてフロート室３３内のフロート全体が液面下に沈む過剰オーバーフロー位置Ｈ１の時、フロート上方と下方との圧力差により下降し、そのフロート３７の下降で前記排水通路口３５を閉とする開閉弁となっている。
【００２０】
図１から図４は、適正オーバーフロー位置Ｈ及び過剰オーバーフロー位置Ｈ１の時とフロート３７との関係を示したものである。
【００２１】
図１と図２は適正オーバーフロー位置Ｈの時の動作説明図を示している。
【００２２】
即ち、運転時においてタンク本体２１ａ内の液面が上昇しオーバーフロー口４５に到達した後、フロート室３３内に流れ込む洗浄水によって液面が一定のレベルに達するとフロート３７に浮力が与えられて上昇する。この時、排水通路口３５が開となることで、フロート室３３内の洗浄水は排水されるため液面が下がって下降し排水通路口３５を閉塞する。また、再び液面が一定レベルに達すると上昇に転じる動作を繰返す作用が得られるようになっている。
【００２３】
図２と図３は過剰オーバーフロー位置Ｈ１の時の動作説明図を示している。即ち、運転中の洗浄作業を一時停止すると洗浄ポンプ２５が停止するため、洗浄水の汲上げがなくなると同時に循環中の洗浄水が洗浄タンク２１内へ流れ込む条件が加わるために、図３に示すようにフロート室３３内においてフロート３７全体が沈んだ過剰オーバーフロー位置（Ｈ１）となる。この時、フロート３７は天板４７に突当った最上昇位置（図３実線）で、排水通路口３５の開口が最大となるためフロート３７の下方において流速の速い流れが作られる。流速の速い流れはフロート上方Ｖ１と下方Ｖ２とに圧力差Ｖ１＞Ｖ２を発生させ、この圧力差Ｖ１＞Ｖ２はフロート３７を下降させる吸引作用として働く。
【００２４】
圧力差Ｖ１＞Ｖ２の関係は、フロート３７が天板４７に突当った最上昇位置（図３実線）の時、排水通路口３５からフロート３７までの開口寸法ｄが重要な条件となり、必要以上に開口寸法ｄが大きくなり過ぎると条件は成立しない。この実施形態では、
例えば、フロート３７の径Ｒが１００ｍｍ、排水通路口３５から天板４７までの寸法Ｄが１１０ｍｍ、オーバフロー口４５までの寸法ｄ１が８０ｍｍとした時、前記開口寸法ｄが約１０ｍｍとなるよう設定されている。これにより、圧力差Ｖ１＞Ｖ２の関係によって、フロート３７を下降させる最適な吸引作用が働らき、排水通路口３５を閉とする。
【００２５】
なお、開口寸法ｄはフロート３７の大きさや形状によっても変化するためフロート径や形状によって最適値を求めることが望ましい。
【００２６】
一方、排水通路口３５がフロート３７により閉塞された閉状態の時、フロート３７の浮力Ｆに対して、重量Ｗ及び水圧ＰがＷ＋Ｐ＞Ｆの関係となることで閉状態が保持される。閉状態となるＷＴＰ＞Ｆの関係は、図４に示すように、過剰オーバーフロー位置Ｈ１から液面が下降していきＨ１−１の液面となるまで継続する。そして、さらに液面が下がりフロート３７の一部分が露出するＨ１−２の液面、即ち、適正オーバーフロー位置Ｈの時、Ｗ＋Ｐ＜Ｆの関係となって浮力Ｆが勝り排水通路口３５からの排水が始まるようになっている。
【００２７】
この場合、Ｖ１＞Ｖ２の圧力差の時、その圧力差によってフロート３７が確実に下降するようフロート３７にバランサウェイト５３を設け、設計に基づく最適なフロート値にすることが望ましい。
【００２８】
バランサウェイト５３は上下に長く形成され、フロート３７が最上位に上昇した時に前記バランサウェイト５３がフロート管３１内に残る長さに設定され、フロート３７の挙動を抑え正しく上下動するガイド部材としての機能を備えるようになっている。
【００２９】
なお、フロート３７は、球体に特定されず、円錐形、円筒形等の形状であってもよい。
【００３０】
このように構成されたオーバーフロー装置２９によれば、フロート室３３内に設けられたフロート３７によって故障のない簡単な構造にできる。
【００３１】
一方、例えば、タンク本体２１ａ内を掃除する時には、取手４９を持ってフロート管３１の挿入部４１を排水口３９から引き抜くことで排水栓として機能し、タンク本体２１ａ内の洗浄水を外へ容易に排水することができると共に、専用の排水栓が不用となる。
【００３２】
次に、運転中にあっては、洗浄タンク２１内の洗浄水は洗浄ポンプ２５によって洗浄ノズル２３へ送り上げられた後、再び、洗浄タンク２１内へ戻る循環を繰返すことで被洗浄物５の洗浄が行なえる。
【００３３】
次に、例えば、被洗浄物５の入れ換えやトラブル発生時において洗浄作業を一たん停止すると、洗浄ポンプ２５が停止することで図３に示すようにフロート３７全体か液面下に沈む過剰オーバーフロー位置Ｈ１となる。この時、フロート上方と下方の圧力差Ｖ１＞Ｖ２によってフロート３７は図４に示すように下降し、排水通路口３５を閉塞する。この結果、洗浄水の無駄な排水を抑えることができると共に、洗浄濃度の見直しが不用となる。また、洗浄水の補給が不用となり再起動時の立上りが早くなる。
【００３４】
次に、再起動時、洗浄ポンプ２５の作動によって洗浄ノズル２３を始めとして循環経路配管内に洗浄水が汲上げられると液面が下がって適正オーバーフロー位置Ｈとなるため、再びフロート３７によるオーバーフロー装置として作用するようになる。
【００３５】
なお、この実施形態にあってはオーバーフロー装置を洗浄装置に用いた説明になっているが、洗浄装置以外の分野で使用することも可能である。
【図面の簡単な説明】
【００３６】
【図１】この発明にかかるオーバーフロー装置を示した概要説明図。
【図２】適正オーバーフロー位置の時のオーバーフロー装置の動作説明図。
【図３】過剰オーバーフロー位置の時のオーバーフロー装置の動作説明図。
【図４】過剰オーバーフロー位置の時のフロートが排水通路口を閉塞した状態の動作説明図。
【図５】オーバーフロー装置の概要斜視図。
【図６】タンク本体の排出口からオーバーフロー装置のフロート管を抜いた状態の説明図。
【図７】洗浄工程とすすぎ工程を備えた洗浄機の概要説明図。
【符号の説明】
【００３７】
２９    オーバーフロー装置
３１    フロート管
３３    フロート室
３５    排水通路口
３７    フロート
４５    オーバーフロー口
Ｖ１＞Ｖ２    圧力差
【図１】
2006289266.tif 000003
【図２】
2006289266.tif 000004
【図３】
2006289266.tif 000005
【図４】
2006289266.tif 000006
【図５】
2006289266.tif 000007
【図６】
2006289266.tif 000008
【図７】
2006289266.tif 000009